(57)【要約】【課題】  シートスルー方式の原稿読み取り時に、原稿面に付着した修正液やボールペンの余剰インク等を掻き落として読み取り部が汚れないようにして、黒スジの発生を簡易な構造で低減させる。【解決手段】  原稿読み取り部５１よりも原稿搬送方向上流側でガイド板５９に凸形状部７０を交換可能なものとして形成する。凸形状部は、搬送原稿の原稿面に向かって突出する形状と、原稿搬送方向上流側から下流側へ向かうにつれて上方へ突出してゆく傾斜面Ｓをなす。ローラ５２、５３を介して搬送された原稿は先端から傾斜面Ｓをスムーズに登っていき、凸形状部６０の頂部を乗り越えて原稿読み取り部５１に至る前に、原稿面に付着した修正液やボールペンの余剰インク等が除去される。７０の色を修正液やインクが目立つ赤、緑にすると清掃が容易となる。【選択図】        図２
2005328228.tif 000002
【特許請求の範囲】
【請求項１】
シート状の原稿を搬送しつつ原稿面を読み取るシートスルー方式の原稿読み取り装置において、原稿読み取り部の原稿搬送方向上流側のガイド板が、搬送する原稿の原稿面に付着した修正液やボールペンの余剰インク等を掻き落とす掻き落とし形状部を備え、該書き落とし形状部をガイド板に着脱可能として構成したことを特徴とする原稿読み取り装置。
【請求項２】
請求項１の原稿読み取り装置において、前記書き落とし形状部は、ガイド板に取り付ける取付基部と、この取付基部から、搬送する原稿の原稿面側に突出する凸形状を有することを特徴とする原稿読み取り装置。
【請求項３】
請求項２の原稿読み取り装置において、前記掻き落とし形状部が、原稿搬送方向上流から下流側へ向かうにつれて前記原稿の原稿面側へ突出する傾斜面を有することを特徴とする原稿読み取り装置。
【請求項４】
請求項１ないし３のいずれかの原稿読み取り装置において、前記掻き落とし形状部に対して出没する方向に可動のガイド部材を設けてなることを特徴とする原稿読み取り装置。
【請求項５】
請求項４の原稿読み取り装置において、前記ガイド部材が、原稿搬送方向上流側から下流側へ向かうにつれて前記原稿の原稿面側へ突出する傾斜面を有することを特徴とする原稿読み取り装置。
【請求項６】
請求項５の原稿読み取り装置において、前記掻き落とし形状部と前記ガイド部材の傾斜面が原稿搬送方向上流側に向かって広く、原稿搬送方向下流側に向かって狭まる搬送路形状を形成することを特徴とする原稿読み取り装置。
【請求項７】
請求項６の原稿読み取り装置において、前記掻き落とし形状部の頂部は前記ガイド部材の傾斜面の途中部位に対向することを特徴とする原稿読み取り装置。
【請求項８】
請求項１ないし３のいずれかの原稿読み取り装置において、前記書き落とし形状部と前記ガイド部材を、原稿読取部の上流側原稿搬送ローラーより、上流に側に配置することを特徴とする原稿読み取り装置。
【請求項９】
請求項１ないし８のいずれかの原稿読み取り装置において、書き落とし形状部を、付着する白色の修正液及び黒色のインクが目立つ色として構成したことを特徴とする原稿読み取り装置。
【請求項１０】
請求項１ないし９のいずれかの画像読み取り装置を有することを特徴とする画像形成装置。
【発明の詳細な説明】
【技術分野】
【０００１】
本発明は、複写機、スキャナ、ファクシミリ等に用いられるシートスルー方式の原稿読み取り装置及びこれを用いた画像形成装置に関する。
【背景技術】
【０００２】
シートスルー読み取り機能を有する原稿読み取り装置やこれを用いた画像形成装置においては、コンタクトガラス上に原稿を搭載して照明用光源により光を照射し、画像読み取り手段（キャリッジ等と称する）を停止させた状態のまま原稿を搬送して読み取る方式と、キャリッジを移動走査して読み取る読み取り方式があるが、どちらの読み取り方式においても読み取り部位におけるゴミ等の存在が問題になる。
【０００３】
シートスルー読み取りを行う場合、コンタクトガラス上に例えば修正液やボールペンの余剰インクが点状のゴミとして存在すると、読み取り部のキャリッジを固定している場合には、これら付着したゴミが副走査方向に伸びた黒スジ画像として出力される。このようなゴミの画像を含む読み取り画像は、もちろん原稿画像上には無いデータであり、当然にクレームの原因となる。
【発明の開示】
【発明が解決しようとする課題】
【０００４】
この問題を解消するための手段として、読み取り部のコンタクトガラスの表面にゴミ等が付着するのを防ぐための処理を施したり、読み取り部の位置をゴミの付着の少ないところにしたりする等の方法が提案されているが、既存の方法では読み取り部にゴミが付着してしまった場合に生じる不具合を解消することはできない。そのためシートスルー方式の原稿読み取り装置においては、上述のような黒スジ画像が慢性的なクレーム原因となっており、簡易な方法で上記クレームを低減できる構造の開発が望まれていた。
【０００５】
また従来、シートスルー読み取り機能を有する原稿読み取り装置やこれを用いた画像形成装置においては、厚手で剛性の高い原稿を通紙したときに搬送部の隙間が狭いため、そこで原稿がとまってしまう可能性があり、これも解決が望まれていた。
【０００６】
本発明は、上述した従来の問題点にかんがみ、原稿読み取り開始前に原稿に付着してともに搬送されてきたゴミ等を除去可能とした原稿読み取り装置及びこれを用いた画像形成装置を提供することを目的とする。
【課題を解決するための手段】
【０００７】
本発明の請求項１に係る原稿読み取り装置は、シート状の原稿を搬送しつつ原稿面を読み取るシートスルー方式の原稿読み取り装置において、原稿読み取り部の原稿搬送方向上流側のガイド板が、搬送する原稿の原稿面に付着した修正液やボールペンの余剰インク等を掻き落とす掻き落とし形状部を備え、該書き落とし形状部をガイド板に着脱可能として構成したことを特徴とする。
【０００８】
請求項２に係るものは、請求項１の原稿読み取り装置において、前記書き落とし形状部は、ガイド板に取り付ける取付基部と、この取付基部から、搬送する原稿の原稿面側に突出する凸形状を有することを特徴とする。
【０００９】
請求項３に係るものは、請求項２の原稿読み取り装置において、前記掻き落とし形状部が、原稿搬送方向上流から下流側へ向かうにつれて前記原稿の原稿面側へ突出する傾斜面を有することを特徴とする。
【００１０】
請求項４に係るものは、請求項１ないし３のいずれかの原稿読み取り装置において、前記掻き落とし形状部に対して出没する方向に可動のガイド部材を設けてなることを特徴とする。
【００１１】
請求項５に係るものは、請求項４の原稿読み取り装置において、前記ガイド部材が、原稿搬送方向上流側から下流側へ向かうにつれて前記原稿の原稿面側へ突出する傾斜面を有することを特徴とする。
【００１２】
請求項６に係るものは、請求項５の原稿読み取り装置において、前記掻き落とし形状部と前記ガイド部材の傾斜面が原稿搬送方向上流側に向かって広く、原稿搬送方向下流側に向かって狭まる搬送路形状を形成することを特徴とする。
【００１３】
請求項７に係るものは、請求項６の原稿読み取り装置において、前記掻き落とし形状部の頂部は前記ガイド部材の傾斜面の途中部位に対向することを特徴とする。
【００１４】
請求項８に係る原稿読み取り装置は、発明は、請求項１ないし３のいずれかの原稿読み取り装置において、前記書き落とし形状部と前記ガイド部材を、搬送ローラーより上流側に配置することを特徴とする。
【００１５】
請求項９の発明は、請求項１ないし８のいずれかの原稿読み取り装置において、書き落とし形状部を、付着する白色の修正液及び黒色のインクが目立つ色として構成したことを特徴とする。
【００１６】
請求項１０に係る画像形成装置は、請求項１ないし９のいずれかの画像読み取り装置を有することを特徴とする。
【発明の効果】
【００１７】
本発明は、シートスルー方式の原稿読み取り時に、原稿面に付着した修正液やボールペンの余剰インク等を掻き落とし、読み取り部がそれらにより汚れず、読み取り部の汚れに起因する黒スジの発生とそれに対するクレームを、簡易な構造で低減させ得る。
【００１８】
また、書き落とし形状部だけを交換できる他、掻き落とした修正液やインクが目立ち、清掃が容易になる。
【発明を実施するための最良の形態】
【００１９】
以下本発明を実施するための最良の形態を、図に示す実施例を参照して説明する。
【実施例】
【００２０】
図１は、本発明の実施対象として、シートスルー読み取り機能を有する原稿読み取り装置の一例としての自動原稿搬送装置（ＡＤＦ）とこれを搭載した画像形成装置を示す概略断面図である。なお、図示の自動原稿搬送装置は単なる一例であって、後述するシートスルー読み取り機能を有する原稿読み取り装置であればどのようなものでも本発明を適用できる。
【００２１】
図示の画像形成装置は主に、原稿を読み取る読み取りユニット１１、画像を形成する画像形成部１２、自動原稿搬送装置（ＡＤＦ）１３、ＡＤＦ１３から送り出される原稿をスタックする原稿排紙トレイ１４、給紙カセット１５ないし１８を備える給紙部１９、記録用紙をスタックする排紙部（原稿排紙トレイ２０）により構成してある。
【００２２】
そして、ＡＤＦ１３の原稿台２１上に原稿Ｄをセットして図示せぬ操作部での操作、例えばプリントキーの押下操作をすると、最上位の原稿Ｄがピックアップローラ２２の回転により矢印Ｂ１方向へ送り出され、原稿搬送ベルト２３の回転により、画像読み取りユニット１１に固定されたコンタクトガラス２４上へ給送され、そこで停止する。コンタクトガラス２４上に載置された原稿Ｄの画像は、画像形成部１２とコンタクトガラス２４の間に位置する読み取り装置２５によって読み取る。読み取り装置２５は、コンタクトガラス２４上の原稿Ｄを照明する光源２６、原稿画像を結像する光学系２７、原稿画像を結像させるＣＣＤ等からなる光電変換素子２８等を有している。画像読み取り終了後、原稿Ｄを原稿搬送ベルト２３の回転により矢印Ｂ２方向へ搬送して原稿排紙トレイ１４上へ排出する。このように、原稿Ｄを１枚ずつコンタクトガラス２４上へ給送して原稿画像を画像読み取りユニット１によって読み取る。
【００２３】
一方、画像形成部１２の内部には、像担持体である感光体３０が配置してある。感光体３０は、図において時計方向に回転駆動し、帯電装置３１によって表面を所定の電位に帯電させる。また、書き込みユニット３２からは、読み取り装置２５によって読み取った画像情報に応じて光変調したレーザ光Ｌを照射し、帯電させた感光体３０の表面をこのレーザ光Ｌで露光し、これによって感光体３０の表面に静電潜像を形成する。この静電潜像は、現像装置３３を通るとき、対向する転写装置３４によって感光体３０と転写装置３４の間に給送された記録媒体Ｐに転写する。トナー像転写後の感光体３０の表面は、クリーニング装置３５によって清掃する。
【００２４】
画像形成部２の下部に配置した複数の給紙カセット１５ないし１８には、紙等の記録媒体Ｐを収容してあり、いずれかの給紙カセット１５ないし１８から記録媒体Ｐを矢印Ｂ３方向へ送り出し、その記録媒体Ｐの表面に、上述のように感光体３０の表面に形成したトナー像を転写する。次に、記録媒体Ｐを矢印Ｂ４で示すように画像形成部２内の定着装置３６を通し、熱と圧力の作用によって記録媒体Ｐの表面に転写されたトナー像を定着させる。定着装置３６を通った記録媒体Ｐを排出ローラ対３７によって搬送し、矢印Ｂ５で示すように原稿排紙トレイ２０へ排出し、スタックする。
【００２５】
図２は、本発明の一実施例における原稿読み取り部の断面概略図である。図中５１は原稿読み取り部で、図１の装置では光学系２７のコンタクトガラス２４に対する光軸Ｘ上に位置する部位である。また図中５２は原稿搬送用のローラ、５３はそれに対向する加圧ローラ、５４は原稿搬送方向で下流側に位置する原稿搬送用のローラ、５５はそれに対向する加圧ローラ、５６は白圧板、５７は角パイプ材、５８はスプリング、５９はガイド板、７０は書き落とし形状部である凸形状部である。
【００２６】
凸形状部７０は、原稿読み取り部５１よりも原稿搬送方向上流側でガイド板５９に取り付けて形成してあり、図示しない搬送原稿の原稿面に付着した修正液やボールペンの余剰インク等を掻き落とす掻き落とし形状部となる。凸形状部７０は、ガイド板５９に形成された取付穴に嵌め込んで取り付けられ、平板状の取付部７１とこの取付部から上方向け突出形成された凸部７２とからなる。前記凸部７２は搬送原稿の原稿面（図の例では下面）に向かって突出する形状を有し、かつ原稿搬送方向上流側から下流側へ向かうにつれて上方へ突出してゆく傾斜面Ｓをなす。
【００２７】
また、本例では上側のガイド板５９にはガイド部材６１をスプリング６２で下方へ突出付勢して可動に設けてある。このガイド部材６１は、凸形状部７０に対して出没する方向に可動であり、また凸形状部７０と同様に、原稿搬送方向上流側から下流側へ向かうにつれて下方へ突出してゆく傾斜面Ｓ’をなす。また、凸形状部７０の頂部は傾斜面Ｓ’の途中部位に対向している。
【００２８】
そして、本例では凸形状部７０は付着した白色の修正液や黒色のボールペンインクが目立つ色、例えば赤、緑で構成されている。なお、この凸形状部７０の色彩は任意に選択できる。
【００２９】
したがって、ローラ５２、５３を介して搬送された原稿は、その先端が傾斜面Ｓを比較的スムーズに登っていき、凸形状部７０の頂部を乗り越えて原稿読み取り部５１に至る。
【００３０】
すなわち傾斜面Ｓは搬送に対して抵抗にはほとんどならないが、原稿面に付着した修正液やボールペンの余剰インク等は、傾斜面Ｓとの摺接や、凸形状部の頂部で引っかかれることにより、原稿読み取り部５１へ至る前に除去され得る。
【００３１】
原稿読み取り部５１に至った原稿は、その先端側からスプリング５８の付勢力によってコンタクトガラス２４側へ押し付け付勢されている白圧板５６で上方から押さえられつつ移動し（通紙方向を図中に矢印で示す）、原稿面の内容を読み取られ、ローラ５４、５５を介して原稿読み取り部５１から脱する。
【００３２】
本例によれば、図３に示すように、凸形状部６０をガイド板５９に直接形成した場合、使用による凸形状部６０の摩耗による変形（図３（ｂ）に符号６０ｂ、（ｃ）に６０ｃで示した）時に、ガイド板５９全体を交換しなければならなくなる手間を解消する。即ち本例では、凸形状部７０だけを交換するだけで、掻き落とし能力を回復させることができる。また、本例では、凸形状部７０の色彩を赤または緑にしているため、原稿表面から掻き取った白色の修正液や黒色インクが目立ち、凸形状部７０の清掃が容易となる。
【００３３】
また、本例では、厚くない原稿を通紙する際は図示のようにガイド部材６１がスプリング６２で付勢されて下方へ突出しており、通紙経路を狭いままに保っているが、厚手で剛性の高い原稿を通紙したときには、ガイド部材６１がスプリング６２の付勢力に抗して上昇し、搬送部の隙間が広くなる（スプリング６２の付勢力はそのような動作が可能なように適宜設定する）。したがって、原稿搬送部である通紙路が狭いために原稿がとまってしまうことはない。
【００３４】
図４は、本発明の他の実施例における原稿読み取り部の断面概略図である。この例は、凸形状部７０及びガイド部材６１をローラ５２ほとんどの構成は図３の例と同様であるが、凸形状部７０及びガイド部材６１を原稿読取部の上流側原稿搬送ローラー８２，８３より上流に側に配置するようにしている。このため画像読み取り部５１が上流側の搬送ローラ８２，８３と下流側の原稿搬送ローラ５４，５５に挟まれて配置されるため、原稿後端の凸形状部７０通過時のバタつきが防止され、特にＣＩＳ（密着型イメージセンサ）を用いるとき発生しがちな読み取り画像の乱れが減少する。
【図面の簡単な説明】
【００３５】
【図１】本発明の実施対象となる原稿読み取り装置と画像形成装置を示す概略断面図である。
【図２】本発明の一実施例における原稿読み取り部の拡大断面概略図である。
【図３】本発明の作用を説明する図である。
【図４】本発明の他の実施例における原稿読み取り部の断面概略図である
【符号の説明】
【００３６】
１・・・ユニット
２・・・画像形成部
５・・・ローラ
１１・・・読み取りユニット
１２・・・画像形成部
１３・・・自動原稿搬送装置（ＡＤＦ）
１４・・・原稿排紙トレイ
１５・・・給紙カセット
１８・・・給紙カセット
１９・・・給紙部
２０・・・排紙トレイ
２１・・・原稿台
２２・・・ピックアップローラ
２３・・・原稿搬送ベルト
２４・・・コンタクトガラス
２５・・・読み取り装置
２６・・・光源
２７・・・光学系
２８・・・光電変換素子
３０・・・感光体
３１・・・帯電装置
３２・・・書き込みユニット
３３・・・現像装置
３４・・・転写装置
３５・・・クリーニング装置
３６・・・定着装置
３７・・・排出ローラ対
５１・・・原稿読み取り部
５２、５３・・・ローラ
５４、５５・・・ローラ
５６・・・白圧板
５８・・・スプリング
５９・・・ガイド板
６０・・・凸形状部
６１・・・ガイド部材
６２・・・スプリング
７０・・・凸形状部
７１・・・取付部
７２・・・凸部
８２，８３・・・搬送ローラ
Ｄ・・・原稿
Ｌ・・・レーザ光
Ｐ・・・記録媒体
Ｓ・・・傾斜面
Ｓ’・・・傾斜面
Ｘ・・・光軸
【図１】
2005328228.tif 000003
【図２】
2005328228.tif 000004
【図３】
2005328228.tif 000005
【図４】
2005328228.tif 000006